(57)【要約】      （修正有）【課題】有害ガスの監視に使用される方法およびシステムを提供する。【解決手段】監視システムで使用されるディスプレイアセンブリ１１８が提供される。ディスプレイアセンブリは、少なくとも１つのガス成分の濃度レベルを示す有害ガスデータを受信するように構成された通信インターフェース２０２を含む。さらに、ディスプレイアセンブリは、通信インターフェースに結合されたプロセッサ２１０をも含み、プロセッサが、有害ガスデータに基づいて少なくとも１つの画像を生成するように構成される。ディスプレイアセンブリは、プロセッサに結合された表示媒体２１８をも含み、表示媒体が、ユーザに画像をリアルタイムに提示するように構成される。ディスプレイアセンブリは、ユーザと共に移動できるようにユーザに対して置かれ、ユーザは、位置付近を動き回る間、その位置内の有害ガスを監視できるようになる。【選択図】図２
2012226755.tif 000002
【特許請求の範囲】
【請求項１】
監視システム（１００）で使用されるディスプレイアセンブリ（１１８）であって、
少なくとも１つのガス成分の濃度レベルを示す有害ガスデータを受信するように構成された通信インターフェース（２０２）と、
前記通信インターフェースに結合されており、前記有害ガスデータに基づいて少なくとも１つの画像を生成するように構成されたプロセッサ（２１０）と、
前記プロセッサに結合されており、前記少なくとも１つの画像をユーザにリアルタイムに提示するように構成された表示媒体（２１８）と
を備え、
前記ディスプレイアセンブリが、前記ユーザと共に移動できるように前記ユーザに対して置かれ、前記ユーザが、位置（１０８）付近を動き回る間、前記位置内の有害ガスを監視できるようになる、ディスプレイアセンブリ（１１８）。
【請求項２】
前記表示媒体（２１８）が少なくとも１つのレンズ（２２４）を備える、請求項１記載のディスプレイアセンブリ（１１８）。
【請求項３】
前記表示媒体（２１８）が少なくとも１つの表示画面（３２４）を備える、請求項１記載のディスプレイアセンブリ（１１８）。
【請求項４】
前記少なくとも１つの画像が、前記少なくとも１つのガス成分の前記濃度レベルの図形表現、および前記少なくとも１つのガス成分の名前のうちの少なくとも１つを含む、請求項１記載のディスプレイアセンブリ（１１８）。
【請求項５】
前記少なくとも１つの画像が、前記少なくとも１つのガス成分の前記濃度レベルが事前定義された閾値を超える場合にテキスト形式の警告を提供する、請求項１記載のディスプレイアセンブリ（１１８）。
【請求項６】
前記テキスト形式の警告が、前記少なくとも１つのガス成分の前記濃度レベルが前記事前定義された閾値を超える前に提供される、請求項５記載のディスプレイアセンブリ（１１８）。
【請求項７】
前記プロセッサ（２１０）に結合された音声出力デバイス（２４８）をさらに備え、前記音声出力デバイスが、前記少なくとも１つのガス成分の前記濃度レベルが事前定義された閾値を超えることに基づいて音声信号を生成するように構成され、前記音声出力デバイスが、前記ユーザに前記音声信号を送信するように構成される、請求項１記載のディスプレイアセンブリ（１１８）。
【請求項８】
少なくとも１つのガス成分を検出し、少なくとも１つのガス成分の前記検出に基づいて、有害ガスデータを表す少なくとも１つの信号を生成するように構成された少なくとも１つのセンサ（１１２）を備えるセンサアセンブリ（１０６）であって、前記有害ガスデータが前記少なくとも１つのガス成分の濃度レベルを表す、センサアセンブリ（１０６）と、
前記センサアセンブリに通信可能に結合されたディスプレイアセンブリ（１１８）と
を備える監視システム（１００）であって、前記ディスプレイアセンブリが、
前記有害ガスデータを受信するように構成された通信インターフェース（２０２）と、
前記通信インターフェースに結合されており、前記有害ガスデータに基づいて少なくとも１つの画像を生成するように構成されるプロセッサ（２１０）と、
前記プロセッサに結合されており、前記少なくとも１つの画像をユーザにリアルタイムに提示するように構成された表示媒体（２１８）とを備え、前記ディスプレイアセンブリが、前記ユーザと共に移動できるように前記ユーザに対して置かれ、前記ユーザが、位置（１０８）付近を動き回る間、前記位置内の有害ガスを監視できるようになる、監視システム（１００）。
【請求項９】
前記センサアセンブリ（１０６）が、前記ユーザと共に移動できるように前記ユーザに対して置かれる、請求項８記載の監視システム（１００）。
【請求項１０】
前記表示媒体（２１８）が、レンズ（２２４）および表示画面（２２３）のうちの少なくとも１つを備える、請求項８記載の監視システム（１００）。
【発明の詳細な説明】
【技術分野】
【０００１】
本発明の分野は、一般には、監視システムに関し、より詳細には、有害ガスの監視に使用される監視システムに関する。
【背景技術】
【０００２】
コージェネレーション設備および発電所など、多くの産業施設では、環境および周辺地域に有害ガスが放出される可能性がある。たとえば、少なくともいくつかの既知の石炭発電所は、様々なレベルの一酸化炭素（ＣＯ：ｃａｒｂｏｎ  ｍｏｎｏｘｉｄｅ）を生成し、放出することがある。さらに、少なくともいくつかの既知のコージェネレーション設備および発電所は、有害ガスを放出する１つまたは複数のエンジンを含むことがある。さらに、化学処理工場などの処理工場は、芳香族炭化水素などの可燃性かつ／または爆発性のガス、および硫化水素（Ｈ2Ｓ：ｈｙｄｒｏｇｅｎ  ｓｕｌｆｉｄｅ）などの毒ガスを生成することがある。したがって、こうしたシステム内で有害ガスを監視することは不可欠である。
【０００３】
こうした産業施設内に有害ガスが存在することを検出するために、少なくともいくつかの既知のセンサまたは監視システムを使用することができる。少なくともいくつかの既知の監視システムは、少なくとも１つのガス成分の存在を検出するために、少なくとも１つのセンサを使用する。次いで、センサは、受信されたデータを、ユーザが施設内のガス成分を監視できるようにする表示デバイスに送信する。しかし、一般に知られているシステムは、表示デバイスを見るために異なる場所に行くようユーザに求め得るので、リアルタイムデータを提供することができない。さらに、少なくともいくつかの既知の監視システムは、ユーザが有害ガスの存在について直接知ることができるように身体に装着可能であるが、こうした監視システムは、事前定義された閾値に達するときに音声信号を提供することだけに限定される。より具体的には、こうした監視システムは、施設内に存在する有害ガスの濃度レベルおよび／または異なるタイプなど、有害ガスの他の状況をユーザが監視することを可能にする表示を提供しない。したがって、こうした監視システムでは、ユーザは、有害ガスに関して発生している危険に対してより迅速に対応することができない。
【先行技術文献】
【特許文献】
【０００４】
【特許文献１】米国特許第７８５２３５５号明細書
【発明の概要】
【０００５】
一実施形態では、監視システムで使用されるディスプレイアセンブリが提供される。ディスプレイアセンブリは、少なくとも１つのガス成分の濃度レベルを示す有害ガスデータを受信するように構成された通信インターフェースを含む。さらに、ディスプレイアセンブリは、通信インターフェースに結合されたプロセッサをも含み、プロセッサが、有害ガスデータに基づいて少なくとも１つの画像を生成するように構成される。ディスプレイアセンブリは、プロセッサに結合された表示媒体をも含み、表示媒体が、ユーザに画像をリアルタイムに提示するように構成される。ディスプレイアセンブリは、ユーザと共に移動できるようにユーザに対して置かれ、ユーザは、ある位置付近を動き回る間、その位置内の有害ガスを監視できるようになる。
【０００６】
別の実施形態では、監視システムが提供される。監視システムは、少なくとも１つのガス成分を検出し、ガス成分の検出に基づいて、有害ガスデータを表す少なくとも１つの信号を生成するように構成された少なくとも１つのセンサを含むセンサアセンブリを含む。有害ガスデータは、ガス成分の濃度レベルを示す。さらに、監視システムは、センサアセンブリに通信可能に結合されたディスプレイアセンブリを含む。ディスプレイアセンブリは、有害ガスデータを受信するように構成された通信インターフェースを含む。さらに、ディスプレイアセンブリは、通信インターフェースに結合されたプロセッサをも含み、プロセッサが、有害ガスデータに基づいて少なくとも１つの画像を生成するように構成される。ディスプレイアセンブリは、プロセッサに結合された表示媒体をも含み、表示媒体が、ユーザに画像をリアルタイムに提示するように構成される。さらに、ディスプレイアセンブリは、ユーザと共に移動できるようにユーザに対して置かれ、ユーザは、ある位置付近を動き回る間、その位置内の有害ガスを監視できるようになる。
【０００７】
別の実施形態では、有害ガスを監視する方法が提供される。この方法は、ディスプレイアセンブリがユーザと共に移動できるようにディスプレイアセンブリをユーザに対して置くことを含み、ユーザは、ある位置付近を動き回る間、その位置内の有害ガスを連続的に監視できるようになる。さらに、有害ガスデータが受信され、有害ガスデータが、少なくとも１つのガス成分の濃度レベルを示す。さらに、少なくとも１つの画像が、有害ガスデータに基づいて生成される。画像は、表示媒体を介してリアルタイムにユーザに提示される。
【図面の簡単な説明】
【０００８】
【図１】例示的な監視システムのブロック図である。
【図２】図１に示された監視システムと共に使用できる例示的なディスプレイアセンブリの概略透視図である。
【図３】図１に示された監視システムと共に使用できる代替ディスプレイアセンブリのブロック図である。
【図４】図２に示されたディスプレイアセンブリを使用して有害ガスを監視する際に使用される例示的な方法のフローチャートである。
【発明を実施するための形態】
【０００９】
本明細書に述べられた例示的な方法およびシステムは、産業施設内の有害ガスを監視する際に使用される既知のシステムに関連する少なくともいくつかの欠点を克服する。具体的には、本明細書に述べられた諸実施形態は、少なくとも１つのガス成分の濃度レベルを示す有害ガスデータを受信し、有害ガスデータに基づいて少なくとも１つの画像を生成するディスプレイアセンブリを含む監視システムを提供する。ディスプレイアセンブリは、ユーザに画像を提示する表示媒体をも含む。さらに、ディスプレイアセンブリは、ユーザと共に移動できるようにユーザに対して置くことができ、ユーザは、現在の位置内の有害ガスを、その位置付近を動き回る間でも連続的に監視可能であってよい。したがって、本明細書に開示された監視システムは、事前定義された閾値に達するときに音声信号を提供することだけに限定されるのではなく、濃度レベルなど、追加の情報をも提供し、かつ／または施設内のそれぞれ異なるタイプの有害ガスを識別することができる。したがって、こうした監視システムによって、ユーザは、有害ガスに関して発生している危険に対してより迅速に対応することができる。
【００１０】
図１は、コージェネレーション設備および／または発電所など、産業施設（図示せず）のある位置（図示せず）内で有害ガスをユーザ（図示せず）が監視できるようにするために使用できる例示的な監視システム１００を示している。より具体的には、例示的な実施形態では、監視システム１００は、それだけに限らないが、蒸気タービンエンジンおよび／またはガスタービンエンジンなど有害ガスソース１０２から様々なタイプの有害ガスが放出されていることを監視することを可能にする。例示的な実施形態は、産業施設内で使用されている監視システムについて述べているが、本発明は、産業施設に限定されず、本発明は、有害ガスを含み得るどんな施設に関連しても使用できることが当業者には理解されよう。
【００１１】
例示的な実施形態では、監視システム１００は、有害ガス源１０２から距離１０８を置いて配置されたセンサアセンブリ１０６を含む。センサアセンブリ１０６は、少なくとも１つのトランスデューサまたはセンサ１１２を含む。より具体的には、例示的な実施形態では、センサアセンブリ１０６は、複数のセンサ１１２を含んでおり、それぞれのセンサが、ソース１０２からの距離１０８内の少なくとも１つのガス成分（図示せず）の存在を検出する。より具体的には、例示的な実施形態では、それぞれのセンサ１１２は、特定のタイプのガス成分を検出し、各ガス成分の濃度レベルを検出する。あるいは、センサ１１２は、センサアセンブリ１０６および／または監視システム１００が、本明細書に述べられたように機能することを可能にする有害ガスの他の様々なパラメータを検出するように構成されてよい。
【００１２】
例示的な実施形態では、センサアセンブリ１０６は、センサアセンブリ１０６が監視システム１００の少なくとも１つの他のコンポーネントと通信することを可能にするセンサ通信インターフェース１１６をも含む。より具体的には、監視システム１００は、ディスプレイアセンブリ１１８を含み、通信インターフェース１１６は、ネットワーク１２２を介してディスプレイアセンブリ１１８に結合される。本明細書では、用語「結合する」は、コンポーネント間の直接の機械、通信、および／または電気接続に限定されるのではなく、複数のコンポーネント間の間接的な機械、通信および／または電気接続をも含み得ることに留意されたい。
【００１３】
例示的な実施形態では、センサアセンブリ１０６は、無線周波数（ＲＦ：ｒａｄｉｏ  ｆｒｅｑｕｅｎｃｙ）、たとえばＦＭラジオおよび／またはデジタル音声放送、電気電子技術者協会（ＩＥＥＥ（登録商標）：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格（たとえば８０２．１１（ｇ）や８０２．１１（ｎ））、マイクロ波アクセス世界的相互運用（ＷＩＭＡＸ（登録商標）：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）規格、セルラ電話技術（たとえば移動通信世界標準（ＧＳＭ（登録商標）：Ｇｌｏｂａｌ  Ｓｔａｎｄａｒｄ  ｆｏｒ  Ｍｏｂｉｌｅ  ｃｏｍｍｕｎｉｃａｔｉｏｎ））、衛星通信リンク、および／または他の適切な通信手段などの、ワイヤレス通信手段を使用して、ディスプレイアセンブリ１１８と通信する。ＷＩＭＡＸは、オレゴン州ビーヴァートンのＷｉＭａｘフォーラムの登録商標である。ＩＥＥＥは、ニューヨーク州ニューヨークの電気電子技術者協会の登録商標である。あるいは、センサアセンブリ１０６は、有線ネットワーク接続（たとえばイーサネット（登録商標）または光ファイバ）を使用してディスプレイアセンブリ１１８と通信することができる。
【００１４】
例示的な実施形態では、通信インターフェース１１６は、センサアセンブリ１０６がディスプレイアセンブリ１１８と通信することを可能にする。より具体的には、例示的な実施形態では、通信インターフェース１１６は、検出された特定のタイプのガス成分に関連する有害ガスデータ、および検出された各ガス成分の濃度レベルなど、各センサ１１２から情報を受信する。さらに、通信インターフェース１１６は、各センサ１１２から受信された情報に基づいて、有害ガスデータを表す信号をディスプレイアセンブリ１１８に送信する。
【００１５】
例示的な実施形態では、ディスプレイアセンブリ１１８は、有害ガスデータを受信し、少なくとも１つの画像の形でユーザに有害ガスデータを提示する。例示的な実施形態では、ディスプレイアセンブリ１１８は、ユーザと共に移動できるようにユーザに対して、たとえばユーザの身体（図示せず）に対して置くことができ、ユーザは、距離１０８など、現在の位置内の有害ガスを、ユーザがその位置付近を動き回る間でも連続的に監視できるようになる。たとえば、ディスプレイアセンブリ１１８は、ユーザが装着してもよいし、持ってもよい。
【００１６】
例示的な実施形態では、センサアセンブリ１０６は、たとえばユーザの身体に対してなど、ユーザに対して置くこともできる。たとえば、センサアセンブリ１０６は、ユーザが装着してもよいし、持ってもよい。あるいは、センサアセンブリ１０６は、ユーザに対して置かれないことがあり、産業施設内のどこかに置くことができる。
【００１７】
動作中、例示的な実施形態では、ユーザが有害ガス源１０２に近づいている間、有害ガス源１０２からいずれかの有害ガスが放出される場合、ユーザが距離１０８内にいるときにこうしたガスが検出される。それぞれのセンサ１１２は、特定のタイプのガス成分を検出し、各ガス成分の濃度レベルを検出することによって、少なくとも１つのガス成分の存在を検出する。有害ガスデータは、ディスプレイアセンブリ１１８によって有害ガスデータが受信され得るように通信インターフェース１１６に送信され、データが、ユーザにリアルタイムに提示される。例示的な実施形態では、ディスプレイアセンブリ１１８およびセンサアセンブリ１０６がユーザに対して置かれるので、ディスプレイアセンブリ１１８によって受信された有害ガスデータは、ユーザの位置に基づいて変化することがある。
【００１８】
図２は、監視システム１００（図１に示される）と共に使用できる例示的なディスプレイアセンブリ１１８の概略図である。例示的な実施形態では、ディスプレイアセンブリ１１８は、ユーザ（図示せず）によって装着されており、ユーザの身体に対してなど、ユーザに対して置くことができる。より具体的には、例示的な実施形態では、ディスプレイアセンブリ１１８は、ユーザによって着用された眼鏡である。あるいは、ディスプレイアセンブリ１１８は、ディスプレイアセンブリをユーザに対するものとすることができ、またディスプレイアセンブリ１１８および／または監視システム１００が、本明細書に述べられたように機能することを可能にするような任意の形であってよい。
【００１９】
例示的な実施形態では、ディスプレイアセンブリ１１８は、ディスプレイアセンブリ１１８に電力を供給するバッテリ２０１を含む。例示的な実施形態では、バッテリ２０１は充電可能なリチウムイオン電池２０１である。あるいは、バッテリ２０１は、他のいずれかのリチウムベースのバッテリでもよいし、ディスプレイアセンブリ１１８が本明細書に述べられたように機能することを可能にする他の任意のタイプのバッテリであってもよい。
【００２０】
ディスプレイアセンブリ１１８は、センサアセンブリ１０６（図１に示される）から有害ガスデータを受信する通信インターフェース２０２を含む。より具体的には、例示的な実施形態では、センサ通信インターフェース１１６（図１に示される）は、ネットワーク１２２（図１に示される）を介して通信インターフェース２０２に結合される。通信インターフェース１１６は、各センサ１１２（図１に示される）から受信された有害ガスデータを表す信号を通信インターフェース２０２に送信する。例示的な実施形態では、通信インターフェース２０２は、たとえばワイヤレス無線通信に使用できるアンテナなどのアンテナである。あるいは、通信インターフェース２０２は、ディスプレイアセンブリ１１８および／または監視システム１００が本明細書に述べられたように機能することを可能にする他の任意のタイプの通信モジュールであってもよい。
【００２１】
例示的な実施形態では、ディスプレイアセンブリ１１８は、通信インターフェース２０２に通信可能に結合された受信機２０６をも含む。例示的な実施形態では、受信機２０６は、ワイヤレスデータ接続を介して通信インターフェース２０２から有害ガスデータを受信するワイヤレス受信機である。受信機２０６は、システムバス（図示せず）を介して通信インターフェース２０２および受信機２０６に結合されたプロセッサ２１０に有害ガスデータを送信する。プロセッサ２１０は、システムバスを介してメモリデバイス２１４にも結合される。
【００２２】
実施形態によっては、実行可能命令は、メモリデバイス２１４に格納される。ディスプレイアセンブリ１１８は、本明細書に述べられた１つまたは複数の操作をプログラミングプロセッサ２１０によって実施するようにプログラム可能である。たとえば、プロセッサ２１０は、操作を１つまたは複数の実行可能命令として符号化し、メモリデバイス２１４内に実行可能命令を提供することによってプログラムされてよい。プロセッサ２１０は、（たとえばマルチコア構成の）１つまたは複数の処理装置を含んでよい。例示的な実施形態では、プロセッサ２１０は、プロセッサがセンサアセンブリ１０６から受信し続ける有害ガスデータに基づいて、少なくとも１つの画像を連続的に生成するようにプログラムされる。より具体的には、例示的な実施形態では、プロセッサ２１０は、検出された少なくとも１つのガス成分の名前を含む画像を生成するようにプログラムされる。
【００２３】
プロセッサ２１０は、検出された少なくとも１つのガス成分の濃度レベルの図形表現を含む画像を生成するようにプログラムされる。プロセッサ２１０は、濃度レベルが事前定義された閾値を超える場合はテキスト形式の警告を生成するようにもプログラムされる。たとえば、テキスト形式の警告は、ユーザに提示されたとき、時間間隔のシーケンスに従って点滅することができる。例示的な実施形態では、テキスト形式の警告は、ガス成分の濃度レベルが事前定義された閾値を超える前に提供される。あるいは、プロセッサ２１０は、ディスプレイアセンブリ１１８および／または監視システム１００が本明細書に述べられたように機能することを可能にする他のいずれかの画像を生成するようにプログラムされてよい。さらに、例示的な実施形態では、プロセッサ２１０は、ガス成分の濃度レベルが事前定義された閾値を超えることに基づいて音声出力を生成するようにプログラムされる。
【００２４】
本明細書では、用語「プロセッサ」は一般に、システムとマイクロコントローラとを含む任意のプログラマブルシステム、縮小命令セット回路（ＲＩＳＣ：ｒｅｄｕｃｅｄ  ｉｎｓｔｒｕｃｔｉｏｎ  ｓｅｔ  ｃｉｒｃｕｉｔ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、プログラマブル論理回路（ＰＬＣ：ｐｒｏｇｒａｍｍａｂｌｅ  ｌｏｇｉｃ  ｃｉｒｃｕｉｔ）、および本明細書に述べられた機能を実行できる他の任意の回路またはプロセッサを指す。上記の例は、例示的なものにすぎず、したがって、用語「プロセッサ」の定義および／または意味を限定するためのものでは決してない。
【００２５】
プロセッサ２１０は、それだけに限らないが、汎用中央処理装置（ＣＰＵ：ｃｅｎｔｒａｌ  ｐｒｏｃｅｓｓｉｎｇ  ｕｎｉｔ）、グラフィックス処理装置（ＧＰＵ：ｇｒａｐｈｉｃｓ  ｐｒｏｃｅｓｓｉｎｇ  ｕｎｉｔ）、マイクロコントローラ、縮小命令セットコンピュータ（ＲＩＳＣ：ｒｅｄｕｃｅｄ  ｉｎｓｔｒｕｃｔｉｏｎ  ｓｅｔ  ｃｏｍｐｕｔｅｒ）プロセッサ、特定用途向け集積回路（ＡＳＩＣ）、プログラマブル論理回路（ＰＬＣ）、および／または本明細書に述べられた機能を実行できる他の任意の回路またはプロセッサを含んでよい。本明細書に述べられた方法は、それだけに限らないが、記憶デバイスおよび／またはメモリデバイスを含めて、コンピュータ読取り可能媒体で実施された実行可能命令として符号化することができる。こうした命令は、プロセッサ２１０によって実行されたとき、プロセッサ２１０に、本明細書に述べられた方法の少なくとも一部を実施させる。上記の例は例示的なものにすぎず、したがって、用語プロセッサの定義および／または意味を限定するためのものでは決してない。
【００２６】
メモリデバイス２１４は、実行可能命令および／または他のデータなどの情報を格納し取り出すことを可能にする。メモリデバイス２１４は、それだけに限らないが、ダイナミックランダムアクセスメモリ（ＤＲＡＭ：ｄｙｎａｍｉｃ  ｒａｎｄｏｍ  ａｃｃｅｓｓ  ｍｅｍｏｒｙ）、スタティックランダムアクセスメモリ（ＳＲＡＭ：ｓｔａｔｉｃ  ｒａｎｄｏｍ  ａｃｃｅｓｓ  ｍｅｍｏｒｙ）、ソリッドステートディスクおよび／またはハードディスクなど、１つまたは複数のコンピュータ読取り可能媒体を含んでよい。メモリデバイス２１４は、それだけに限らないが、実行可能命令、構成データ、地理データ（たとえば地形データおよび／または障害物）、ユーティリティネットワーク機器データ、および／または他の任意のタイプのデータを格納するように構成されてよい。
【００２７】
例示的な実施形態では、メモリデバイス２１４は、センサアセンブリ１０６から受信された有害ガスデータを格納し、プロセッサ２１０によって生成される画像を格納する。さらに、例示的な実施形態では、メモリデバイス２１４は、ランダムアクセスメモリ（ＲＡＭ：ｒａｎｄｏｍ  ａｃｃｅｓｓ  ｍｅｍｏｒｙ）を含んでよく、このランダムアクセスメモリは、不揮発性ＲＡＭ（ＮＶＲＡＭ：ｎｏｎ−ｖｏｌａｔｉｌｅ  ＲＡＭ）、磁気ＲＡＭ（ＭＲＡＭ：ｍａｇｎｅｔｉｃ  ＲＡＭ）、強誘電性ＲＡＭ（ＦｅＲＡＭ：ｆｅｒｒｏｅｌｅｃｔｒｉｃ  ＲＡＭ）および他の形のメモリを含んでよい。メモリデバイス２１４は、読取り専用メモリ（ＲＯＭ：ｒｅａｄ  ｏｎｌｙ  ｍｅｍｏｒｙ）、フラッシュメモリおよび／または電気消去可能プログラマブル読取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）を含むこともできる。他の任意の適切な磁気メモリ、光メモリおよび／または半導体メモリが、それ自体で、または他の形のメモリと組み合わせてメモリデバイス２１４に含まれてもよい。またメモリデバイス２１４は、それだけに限らないが、適切なカートリッジ、ディスク、ＣＤ  ＲＯＭ、ＤＶＤまたはＵＳＢメモリを含めて、分離可能メモリまたは取外し可能メモリであってもよいし、それを含んでもよい。あるいは、メモリデバイス２１４は、データベースであってもよい。用語「データベース」は一般に、階層データベース、リレーショナルデータベース、フラットファイルデータベース、オブジェクトリレーショナルデータベース、オブジェクト指向データベース、およびコンピュータシステムに格納される他の任意の構造化されたレコード群またはデータ群を含めて、任意のデータ群を指す。上記の例は例示的なものにすぎず、したがって、用語データベースの定義および／または意味を限定するためものものでは決してない。データベースの例には、それだけに限らないが、Ｏｒａｃｌｅ（登録商標）データベース、ＭｙＳＱＬ、ＩＢＭ（登録商標）ＤＢ２、Ｍｉｃｒｏｓｏｆｔ（登録商標）ＳＱＬサーバ、Ｓｙｂａｓｅ（登録商標）およびＰｏｓｔｇｒｅＳＱＬが含まれる。しかし、本明細書に述べられたシステムおよび方法を可能にする任意のデータベースを使用することができる。（Ｏｒａｃｌｅは、カリフォルニア州レッドウッドショアズのＯｒａｃｌｅ  Ｃｏｒｐｏｒａｔｉｏｎの登録商標であり、ＩＢＭは、ニューヨーク州アーモンクのＩｎｔｅｒｎａｔｉｏｎａｌ  Ｂｕｓｉｎｅｓｓ  Ｍａｃｈｉｎｅｓ  Ｃｏｒｐｏｒａｔｉｏｎの登録商標であり、Ｍｉｃｒｏｓｏｆｔは、  ワシントン州レドモンドのＭｉｃｒｏｓｏｆｔ  Ｃｏｒｐｏｒａｔｉｏｎの登録商標であり、Ｓｙｂａｓｅは、カリフォルニア州ダブリンのＳｙｂａｓｅの登録商標である。）
表示媒体２１８およびディスプレイアダプタ２２０もまた、システムバスを介してプロセッサ２１０に結合される。例示的な実施形態では、表示媒体２１８は、少なくとも１つのレンズ２２４内に少なくとも１つの画面２２３を含む。より具体的には、例示的な実施形態では、表示媒体２１８は、２つのレンズ２２４を含み、それぞれのレンズ２２４が、その中に１つの画面２２３を有する。例示的な実施形態では、レンズ２２４は偏光レンズである。あるいは、レンズ２２４は、表示媒体２１８が本明細書に述べられたように機能することを可能にする任意のタイプのレンズであってよい。さらに、例示的な実施形態では、表示媒体２１８は、プロセッサ２１０によって生成された画像をユーザに提示する。より具体的には、例示的な実施形態では、表示媒体２１８は、陰極線管（ＣＲＴ：ｃａｔｈｏｄｅ  ｒａｙ  ｔｕｂｅ）、液晶ディスプレイ（ＬＣＤ：ｌｉｑｕｉｄ  ｃｒｙｓｔａｌ  ｄｉｓｐｌａｙ）、有機ＬＥＤ（ＯＬＥＤ：ｏｒｇａｎｉｃ  ＬＥＤ）ディスプレイ、および／または「電子インク」ディスプレイなど、視覚ディスプレイを含む。したがって、例示的な実施形態では、ユーザは、レンズ２２４のうちの少なくとも１つのレンズ上で画像を見ることが可能となる。
【００２８】
例示的な実施形態では、ディスプレイアセンブリ１１８は、システムバスを介してプロセッサ２１０に結合されたユーザインターフェース２３０をも含む。ユーザインターフェース２３０は、本明細書に述べられた方法で使用するのに適した任意の情報を受信する。より具体的には、例示的な実施形態では、ユーザは、表示媒体２１８上に表示したい様々な画像を入力することができ、ユーザは、音声信号を介して情報を受信したいかどうか入力することができる。さらに、例示的な実施形態では、ユーザインターフェース２３０は、タッチセンサパネル２３４を含む。あるいは、ユーザは、たとえば、キーボード、ポインティングデバイス、マウス、スタイラス、タッチパッド、タッチスクリーン、ジャイロスコープ、加速度計、位置検出器を含んでよい。ディスプレイアセンブリ１１８は、システムバスによってプロセッサに結合された音声入力インターフェース２４０をも含む。例示的な実施形態では、音声入力インターフェース２４０は、ユーザが第三者と通信することを可能にするマイクロホン２４４を含む。
【００２９】
さらに、例示的な実施形態では、ディスプレイアセンブリ１１８は、システムバスを介してプロセッサ２１０に結合された音声出力デバイス２４８を含む。例示的な実施形態では、音声出力デバイス２４８は、音声アダプタおよび／またはスピーカである。あるいは、音声出力デバイス２４８は、ディスプレイアセンブリ１１８および／または監視システム１００が本明細書に述べられたように機能することを可能にする任意のタイプのデバイスであってよい。例示的な実施形態では、音声出力デバイス２４８は、ガス成分が事前定義された閾値を超える場合はプロセッサ２１０から出力を受信し、受信された出力に基づいて音声信号を生成するように構成される。より具体的には、音声出力デバイス２４８は、少なくとも１つのガス成分の濃度レベルが事前定義された閾値を超えることに基づいて音声信号を生成するように構成される。音声出力デバイス２４８は、ユーザに音声信号を送信するように構成される。例示的な実施形態では、音声信号は、実際の濃度レベルおよび／または警告を伝えることができる音声アラームである。あるいは、音声信号は、ディスプレイアセンブリ１１８および／または監視システム１００が本明細書に述べられたように機能することを可能にする任意のタイプの音声信号であってよい。
【００３０】
動作中、例示的な実施形態では、ディスプレイアセンブリ１１８を装着したユーザが有害ガス源１０２（図１に示される）に近づいている間、有害ガス源１０２からいずれかの有害ガスが放出される場合、ユーザが距離１０８（図１に示される）内にいるときにこうしたガスが検出される。それぞれのセンサ１１２（図１に示される）は、特定のタイプのガス成分を検出し、各ガス成分の濃度レベルを検出することによって、少なくとも１つのガス成分の存在を検出する。有害ガスデータは、通信インターフェース１１６に送信される。
【００３１】
有害ガスデータは、ディスプレイアセンブリ１１８に送信され、通信インターフェース２０２によって受信される。通信インターフェース２０２は、受信機２０６に有害ガスデータを送信し、この受信機２０６は、プロセッサ２１０、および有害ガスデータの格納を可能にするメモリデバイス２１４にデータを送信する。プロセッサ２１０は、通信インターフェース２０２が受信し続ける有害ガスデータに基づいて、複数の画像を連続的に生成する。より具体的には、プロセッサ２１０は、検出された各ガス成分の名前、および検出された各ガス成分の濃度レベルの図形表現を含む画像を生成する。濃度レベルが、プロセッサ２１０にプログラムされた事前定義された閾値を超える場合は、プロセッサ２１０は、テキスト形式の警告を含む画像を生成する。
【００３２】
表示媒体２１８は、ユーザがユーザインターフェース２３０に提供する入力に基づいて、ユーザに情報を連続的に提示する。より具体的には、ユーザは、情報を視覚的な出力および／または音声出力によって提示するかどうか入力することができる。ユーザが視覚的な出力によって情報を受信することを選ぶ場合、プロセッサ２１０は、表示媒体２１８に複数の画像を連続的に送信する。次いで、ユーザは、産業施設内の有害ガスの様々なパラメータを視覚的に識別することができる。より具体的には、検出された各ガス成分の名前、および検出された各ガス成分の濃度レベルの図形表現を含む画像がユーザに提示される。さらに、濃度レベルが事前定義された閾値を超える場合は、ユーザは、テキスト形式の警告を含む画像を見る。これらの画像は、ユーザが産業施設内のある位置付近を動き回る間、それぞれのパラメータが変化するにつれて変化し続ける。
【００３３】
ユーザが音声出力を介して追加の情報を受信することを選ぶ場合、プロセッサ２１０は、ガス成分が事前定義された閾値を超えるとき、音声出力デバイス２４８に音声出力を送信する。音声出力デバイス２４８は、受信された出力に基づいて音声信号を生成する。より具体的には、音声出力デバイス２４８は、ガス成分の濃度レベルが事前定義された閾値を超えることに基づいて音声信号を生成する。次いで、音声出力デバイス２４８は、ユーザに音声信号を送信する。
【００３４】
図３は、ディスプレイアセンブリ１１８（図１および図２に示される）ではなく、監視システム１００（図１に示される）と共に使用できるディスプレイアセンブリ３００の一代替実施形態を示している。例示的な実施形態では、ディスプレイアセンブリ３００は、ユーザに対して、たとえばユーザ（図示せず）の身体（図示せず）に対して置かれるように、ユーザが持ち、または保持する。より具体的には、ディスプレイアセンブリ３００は、スマートフォンなど、ハンドヘルドコンピューティングデバイスである。あるいは、ディスプレイアセンブリ３００は、ディスプレイアセンブリ３００をユーザに対して置くことができるような、またディスプレイアセンブリ３００および／または監視システム１００が本明細書に述べられたように機能することを可能にする任意の形であってよい。
【００３５】
さらに、例示的な実施形態では、ディスプレイアセンブリ３００は、ディスプレイアセンブリ３００に電力を供給するバッテリ３０１を含む。例示的な実施形態では、バッテリ３０１は、充電可能なリチウムイオン電池３０１である。あるいは、バッテリ３０１は、他のいずれかのリチウムベースのバッテリであってもよいし、ディスプレイアセンブリ３００および／または監視システムが本明細書に述べられたように機能することを可能にする他の任意のタイプのバッテリであってもよい。
【００３６】
ディスプレイアセンブリ３００は、センサアセンブリ１０６（図１に示される）から有害ガスデータを受信する通信インターフェース３０２を含む。より具体的には、例示的な実施形態では、センサ通信インターフェース１１６（図１に示される）は、ネットワーク１２２（図１に示される）を介して通信インターフェース３０２に結合される。通信インターフェース１１６は、各センサ１１２（図１に示される）から受信された有害ガスデータを表す信号を通信インターフェース３０２に送信する。さらに、例示的な実施形態では、通信インターフェース３０２は、ＢＬＵＥＴＯＯＴＨ（登録商標）など、短距離無線通信チャネルである。ＢＬＵＥＴＯＯＴＨ（登録商標）は、ワシントン州カークランドのＢｌｕｅｔｏｏｔｈ（登録商標）  ＳＩＧ，Ｉｎｃの登録商標である。あるいは、通信インターフェース３０２は、ディスプレイアセンブリ３００および／または監視システム１００が本明細書に述べられたように機能することを可能にする他のタイプの通信モジュールであってもよい。
【００３７】
例示的な実施形態では、ディスプレイアセンブリ３００は、通信インターフェース３０２に通信可能に結合された受信機３０６をも含む。より具体的には、例示的な実施形態では、受信機３０６は、ワイヤレスデータ接続（図示せず）を介して通信インターフェース３０２から有害ガスデータを受信するワイヤレス受信機である。受信機３０６は、システムバス（図示せず）を介して通信インターフェース３０２および受信機３０６に結合されたプロセッサ３１０に有害ガスデータを送信する。プロセッサ３１０は、システムバスを介してメモリデバイス３１４にも結合される。
【００３８】
実施形態によっては、実行可能命令は、メモリデバイス３１４に格納される。ディスプレイアセンブリ３００は、本明細書に述べられた１つまたは複数の操作をプログラミングプロセッサ３１０によって実施するようにプログラム可能である。たとえば、プロセッサ３１０は、操作を１つまたは複数の実行可能命令として符号化し、メモリデバイス３１４内に実行可能命令を提供することによってプログラムされてよい。プロセッサ３１０は、（たとえばマルチコア構成で）１つまたは複数の処理装置を含んでよい。例示的な実施形態では、プロセッサ３１０は、プロセッサがセンサアセンブリ１０６から受信し続ける有害ガスデータに基づいて、少なくとも１つの画像を連続的に生成するようにプログラムされる。
【００３９】
より具体的には、例示的な実施形態では、プロセッサ３１０は、検出された少なくとも１つのガス成分の名前を含む画像を生成するようにプログラムされる。プロセッサ３１０は、検出された少なくとも１つのガス成分の濃度レベルの図形表現を含む画像を生成するようにプログラムされる。プロセッサ３１０は、濃度レベルが事前定義された閾値を超える場合にテキスト形式の警告を生成するようにもプログラムされる。より具体的には、例示的な実施形態では、テキスト形式の警告は、ガス成分の濃度レベルが事前定義された閾値を超える前に提供される。あるいは、プロセッサ３１０は、ディスプレイアセンブリ３００および／または監視システム１００が本明細書に述べられたように機能することを可能にする他のいずれかの画像を生成するようにプログラムされてよい。例示的な実施形態では、プロセッサ３１０は、ガス成分の濃度レベルが事前定義された閾値を超えることに基づいて音声出力を生成するようにプログラムされる。
【００４０】
さらに、プロセッサ３１０は、それだけに限らないが、汎用中央処理装置（ＣＰＵ）、グラフィックス処理装置（ＧＰＵ）、マイクロコントローラ、縮小命令セットコンピュータ（ＲＩＳＣ）プロセッサ、特定用途向け集積回路（ＡＳＩＣ）、プログラマブル論理回路（ＰＬＣ）、および／または本明細書に述べられた機能を実行できる他の任意の回路またはプロセッサを含んでよい。本明細書に述べられた方法は、それだけに限らないが、記憶デバイスおよび／またはメモリデバイスを含めて、コンピュータ読取り可能媒体で実施された実行可能命令として符号化することができる。こうした命令は、プロセッサ３１０によって実行されるとき、プロセッサ３１０に、本明細書に述べられた方法の少なくとも一部を実施させる。上記の例は例示的なものにすぎず、したがって、用語プロセッサの定義および／または意味を限定するためのものでは決してない。
【００４１】
メモリデバイス３１４は、実行可能命令および／または他のデータなどの情報を格納し取り出すことを可能にする。メモリデバイス３１４は、それだけに限らないが、ダイナミックランダムアクセスメモリ（ＤＲＡＭ）、スタティックランダムアクセスメモリ（ＳＲＡＭ）、ソリッドステートディスクおよび／またはハードディスクなど、１つまたは複数のコンピュータ読取り可能媒体を含んでよい。メモリデバイス３１４は、それだけに限らないが、実行可能命令、構成データ、地理データ（たとえば地形データおよび／または障害物）、ユーティリティネットワーク機器データ、および／または他のタイプのデータを格納するように構成されてよい。
【００４２】
例示的な実施形態では、メモリデバイス３１４は、センサアセンブリ１０６から受信された有害ガスデータを格納し、プロセッサ３１０によって生成される画像を格納する。さらに、例示的な実施形態では、メモリデバイス３１４は、ランダムアクセスメモリ（ＲＡＭ）を含んでよく、このランダムアクセスメモリは、不揮発性ＲＡＭ（ＮＶＲＡＭ）、磁気ＲＡＭ（ＭＲＡＭ）、強誘電性ＲＡＭ（ＦｅＲＡＭ）および他の形のメモリを含んでよい。メモリデバイス３１４は、読取り専用メモリ（ＲＯＭ）、フラッシュメモリ、および／または電気消去可能プログラマブル読取り専用メモリ（ＥＥＰＲＯＭ）を含むこともできる。他の任意の適切な磁気メモリ、光メモリおよび／または半導体メモリが、それ自体で、または他の形のメモリと組み合わせてメモリデバイス３１４に含まれてもよい。またメモリデバイス３１４は、それだけに限らないが、適切なカートリッジ、ディスク、ＣＤ  ＲＯＭ、ＤＶＤまたはＵＳＢメモリを含めて、分離可能メモリまたは取外し可能メモリであってもよいし、それを含んでもよい。あるいは、メモリデバイス３１４は、データベースであってよい。用語「データベース」は一般に、階層データベース、リレーショナルデータベース、フラットファイルデータベース、オブジェクトリレーショナルデータベース、オブジェクト指向データベース、およびコンピュータシステムに格納される他の任意の構造化されたレコード群またはデータ群を含めて、任意のデータ群を指す。上記の例は例示的なものにすぎず、したがって、用語データベースの定義および／または意味を限定するためのものでは決してない。データベースの例には、それだけに限らないが、Ｏｒａｃｌｅ（登録商標）データベース、ＭｙＳＱＬ、ＩＢＭ（登録商標）ＤＢ２、Ｍｉｃｒｏｓｏｆｔ（登録商標）ＳＱＬサーバ、Ｓｙｂａｓｅ（登録商標）およびＰｏｓｔｇｒｅＳＱＬが含まれる。しかし、本明細書に述べられたシステムおよび方法を可能にする任意のデータベースを使用することができる。（Ｏｒａｃｌｅは、カリフォルニア州レッドウッドショアズのＯｒａｃｌｅ  Ｃｏｒｐｏｒａｔｉｏｎの登録商標であり、ＩＢＭは、ニューヨーク州アーモンクのＩｎｔｅｒｎａｔｉｏｎａｌ  Ｂｕｓｉｎｅｓｓ  Ｍａｃｈｉｎｅｓ  Ｃｏｒｐｏｒａｔｉｏｎの登録商標であり、Ｍｉｃｒｏｓｏｆｔは、  ワシントン州レドモンドのＭｉｃｒｏｓｏｆｔ  Ｃｏｒｐｏｒａｔｉｏｎの登録商標であり、Ｓｙｂａｓｅは、カリフォルニア州ダブリンのＳｙｂａｓｅの登録商標である。）
表示媒体３１８およびディスプレイアダプタ３２０もまた、システムバスを介してプロセッサ３１０に結合される。例示的な実施形態では、表示媒体３１８は、ディスプレイ画面３２４を含む。さらに、例示的な実施形態では、表示媒体３１８は、プロセッサ３１０によって生成された画像をユーザに提示する。より具体的には、例示的な実施形態では、表示媒体３１８は、陰極線管（ＣＲＴ）、液晶ディスプレイ（ＬＣＤ）、有機ＬＥＤ（ＯＬＥＤ）ディスプレイ、および／または「電子インク」ディスプレイなど、視覚ディスプレイを含む。したがって、例示的な実施形態では、ユーザは、画面３２４上で画像を見ることが可能となる。
【００４３】
例示的な実施形態では、ディスプレイアセンブリ３００は、システムバスを介してプロセッサ３１０に結合されたユーザインターフェース３３０をも含む。ユーザインターフェース３３０は、本明細書に述べられた方法で使用するのに適したいずれかの情報を受信する。より具体的には、例示的な実施形態では、ユーザは、表示媒体３１８上に表示したい様々な画像を入力することができ、ユーザは、音声信号が必要かどうかも入力することができる。さらに、例示的な実施形態では、ユーザインターフェース３３０は、キーボード３３４を含む。あるいは、ユーザは、たとえば、ポインティングデバイス、マウス、スタイラス、タッチパッド、タッチスクリーン、ジャイロスコープ、加速度計、位置検出器を含んでよい。ディスプレイアセンブリ３００は、システムバスを介してプロセッサに結合された音声入力インターフェース３４０をも含む。例示的な実施形態では、音声入力インターフェース３４０は、ユーザが第三者と通信することを可能にするマイクロホン３４４を含む。
【００４４】
例示的な実施形態では、ディスプレイアセンブリ３００は、システムバスを介してプロセッサ３１０に結合された音声出力デバイス３４８を含む。例示的な実施形態では、音声出力デバイス３４８は、音声アダプタおよび／またはスピーカである。あるいは、音声出力デバイス３４８は、ディスプレイアセンブリ３００および／または監視システム１００が本明細書に述べられたように機能することを可能にする任意のタイプのデバイスであってよい。例示的な実施形態では、音声出力デバイス３４８は、ガス成分が所定の閾値を超える場合にプロセッサ３１０から出力を受信するように構成される。音声出力デバイス３４８は、受信された出力に基づいて音声信号を生成するように構成される。より具体的には、音声出力デバイス３４８は、少なくとも１つのガス成分の濃度レベルが事前定義された閾値を超えることに基づいて音声信号を生成するように構成される。音声出力デバイス３４８は、実際の濃度レベルおよび／または警告を伝えることができる音声信号をユーザに送信するように構成される。例示的な実施形態では、音声信号は、音声アラームである。あるいは、音声信号は、ディスプレイアセンブリ３００および／または監視システム１００が本明細書に述べられたように機能することを可能にする任意のタイプの音声信号であってよい。
【００４５】
動作中、例示的な実施形態では、ディスプレイアセンブリ３００を持つユーザが有害ガス源１０２（図１に示される）に近づいている間、有害ガス源１０２からいずれかの有害ガスが放出される場合、ユーザが距離１０８（図１に示される）内にいるときにこうしたガスが検出される。それぞれのセンサ１１２（図１に示される）は、ガス成分のタイプを検出し、各ガス成分の濃度レベルを検出することによって、少なくとも１つのガス成分の存在を検出する。この有害ガスデータは、通信インターフェース１１６（図１に示される）に送信され、次いで、表示アセンブリ３００に送信される。より具体的には、有害ガスデータは、通信インターフェース３０２によって受信される。通信インターフェース３０２は、受信機３０６に有害ガスデータを送信し、この受信機３０６は、プロセッサ３１０、および有害ガスデータの格納を可能にするメモリデバイス３１４にデータを送信する。プロセッサ３１０は、通信インターフェース３０２が受信し続ける有害ガスデータに基づいて、複数の画像を連続的に生成する。より具体的には、プロセッサ３１０は、検出された各ガス成分の名前、および検出された各ガス成分の濃度レベルの図形表現を含む画像を生成する。濃度レベルが、プロセッサ３１０にプログラムされた事前定義された閾値を超える場合は、プロセッサ３１０は、テキスト形式の警告を含む画像を生成する。
【００４６】
表示媒体３１８は、ユーザがユーザインターフェース３３０に提供する入力に基づいて、ユーザに情報を連続的に提示する。より具体的には、ユーザは、情報を視覚的な出力および／または音声出力によって提示するかどうか入力することができる。ユーザが視覚的な出力によって情報を受信することを選ぶ場合、プロセッサ３１０は、表示媒体３１８に複数の画像を連続的に送信する。次いで、ユーザは、産業施設内の有害ガスの様々なパラメータを視覚的に識別することができる。より具体的には、検出された各ガス成分の名前、および検出された各ガス成分の濃度レベルの図形表現を含む画像がユーザに提示される。さらに、濃度レベルが事前定義された閾値を超える場合は、ユーザは、テキスト形式の警告を含む画像を見る。これらの画像は、ユーザが産業施設内のある位置付近を動き回る間、各パラメータのそれぞれが変化するにつれて変化し続ける。
【００４７】
ユーザが音声出力を介して追加の情報を受信することを選ぶ場合、プロセッサ３１０は、ガス成分が事前定義された閾値を超えるとき、音声出力デバイス３４８に音声出力を送信する。音声出力デバイス３４８は、受信された出力に基づいて音声信号を生成する。より具体的には、音声出力デバイス３４８は、ガス成分の濃度レベルが事前定義された閾値を超えることに基づいて音声信号を生成する。次いで、音声出力デバイス３４８は、ユーザに音声信号を送信する。
【００４８】
図４は、ディスプレイアセンブリ１１８（図１および図２に示される）など、ディスプレイアセンブリを使用して有害ガスを監視する際に使用される例示的な方法４００を示すフローチャートである。あるいは、方法４００は、ディスプレイアセンブリ３００（図３に示される）を使用してもよい。例示的な実施形態では、ディスプレイアセンブリ１１８は、ユーザに対して置かれる４０２。より具体的には、ディスプレイアセンブリ１１８は、ユーザと共に移動できるようにユーザの身体に対して置かれ、ユーザは、ある位置付近を動き回る間でも、その位置内の有害ガスを連続的に監視できるようになる。有害ガスデータは、通信インターフェース２０２（図２に示される）によって受信される４０４。こうした有害ガスデータは、少なくとも１つのガス成分の少なくとも濃度レベルを示す。プロセッサ２１０（図２に示される）は、有害ガスデータに基づいて、少なくとも１つの画像を連続的に生成する４０６。より具体的には、例示的な実施形態では、生成された画像は、検出された各ガス成分の名前、および検出された各ガス成分の濃度レベルの図形表現を含む。さらに、濃度レベルが、プロセッサ２１０にプログラムされた事前定義された閾値を超える場合は、テキスト形式の警告を含む画像が生成される。これらの画像は、ユーザが産業施設内のある位置付近を動き回る間、それぞれのパラメータの変化に基づいて変化し続ける。
【００４９】
表示媒体２１８（図２に示される）が、ユーザに画像を提示する４０８。さらに、例示的な実施形態では、音声出力デバイス２４８（図２に示される）は、ガス成分の濃度レベルが事前定義された閾値を超えることに基づいて音声信号を生成する４１０。次いで、音声信号が、ユーザに送信される４１２。
【００５０】
有害ガスを監視するために使用される既知のシステムおよび方法と比べて、上記に述べられた方法および装置の諸実施形態は、有害ガスに関して発生している危険に対してユーザがより迅速に対応することを可能にする。具体的には、本明細書に述べられた諸実施形態は、少なくとも１つのガス成分の濃度レベルを示す有害ガスデータを受信し、有害ガスデータに基づいて少なくとも１つの画像を連続的に生成するディスプレイアセンブリを含む監視システムを提供する。ディスプレイアセンブリは、ユーザに画像を提示する表示媒体をも含む。ディスプレイアセンブリは、ユーザと共に移動できるようにユーザに対して置くことができ、ユーザは、現在の位置内の有害ガスを、その位置付近を動き回る間でも連続的に監視可能であってよい。したがって、本明細書に開示された監視システムは、事前定義された閾値に達するときに音声信号を提供することだけに限定されるのではなく、濃度レベルなど、追加の情報をも提供し、かつ／または施設内のそれぞれ異なるタイプの有害ガスを識別することができる。
【００５１】
本明細書に述べられたシステムおよび方法の技術的効果は、下記のうちの少なくとも１つを含む。（ａ）ディスプレイアセンブリがユーザと共に移動できるように、ディスプレイアセンブリをユーザに対して置き、ユーザは、ある位置付近を動き回る間、その位置内の有害ガスを連続的に監視できるようになること、（ｂ）少なくとも１つのガス成分の濃度レベルを示す有害ガスデータを受信すること、（ｃ）有害ガスデータに基づいて少なくとも１つの画像を生成すること、および（ｄ）表示媒体を介して、少なくとも１つの画像をユーザにリアルタイムに提示すること。
【００５２】
有害ガスの監視で使用されるシステムおよび方法の例示的な実施形態について、上記で詳細に述べられている。システムおよび方法は、本明細書に述べられた特定の実施形態に限定されないが、システムのコンポーネントおよび方法のステップは、本明細書に述べられた他のコンポーネントおよび／またはステップとは独立かつ別々に使用することができる。たとえば、システムは、他のシステムおよび方法と組み合わせて使用することもでき、本明細書に述べられたシステムだけを用いて実施することに限定されない。むしろ、例示的な実施形態は、他の多くの用途に関連して実施し使用することができる。
【００５３】
本発明の様々な実施形態の特定の特徴が、一部の図面には示されているが、他の図面には示されていないことがあり、これは、便宜上のことにすぎない。本発明の原理によれば、図面のいずれかの特徴は、他のいずれかの図面のいずれかの特徴と組み合わせて参照し、かつ／または特許請求することができる。
【００５４】
記載されたこの説明は、実施例を用いて、ベストモードを含めて本発明を開示し、また任意のデバイスまたはシステムを作成し使用し、組み込まれたいずれかの方法を実施することを含めて、当業者が本発明を実施することを可能にする。本発明の特許性のある範囲は、特許請求の範囲によって定義され、当業者に想起される他の実施例を含むことができる。他のこうした実施例は、特許請求の範囲の文言（ｌｉｔｅｒａｌ  ｌａｎｇｕａｇｅ）とは異ならない構造的要素を有する場合、または特許請求の範囲の文言と僅かにしか異ならない均等な構造的要素を含む場合は、特許請求の範囲内のものとする。
【符号の説明】
【００５５】
１００  監視システム
１０２  有害ガス源
１０６  センサアセンブリ
１０８  距離
１１２  センサ
１１６  通信インターフェース
１１８  ディスプレイアセンブリ
１２２  ネットワーク
２０１  バッテリ
２０２  通信インターフェース
２０６  受信機
２１０  プロセッサ
２１４  メモリデバイス
２１８  表示媒体
２２０  ディスプレイアダプタ
２２３  画面
２２４  レンズ
２３０  ユーザインターフェース
２３４  タッチセンサパネル
２４０  音声入力インターフェース
２４４  マイクロホン
２４８  音声出力デバイス
３００  ディスプレイアセンブリ
３０１  バッテリ
３０２  通信インターフェース
３０６  受信機
３１０  プロセッサ
３１４  メモリデバイス
３１８  表示媒体
３２０  ディスプレイアダプタ
３２４  画面
３３０  ユーザインターフェース
３３４  キーボード
３４０  音声入力インターフェース
３４４  マイクロホン
３４８  音声出力デバイス
４００  有害ガス監視で使用される方法
４０２  ディスプレイアセンブリがユーザに対して置かれる
４０４  有害ガスデータが受信される
４０６  プロセッサが少なくとも１つの画像を連続的に生成する
４０８  表示媒体が画像を提示する
４１０  音声出力デバイスが音声信号を生成する
４１２  次いで、音声信号がユーザに送信される
【図１】
2012226755.tif 000003
【図２】
2012226755.tif 000004
【図３】
2012226755.tif 000005
【図４】
2012226755.tif 000006
【外国語明細書】
2012226755000001.pdf